(57)【要約】      （修正有）【課題】簡単に電気転てつ機に係合でき、クレーン等の吊上げ装置により吊り上げることができる電気転てつ機吊上げ補助具を提供する。【解決手段】吊り具本体１２と、該吊り具本体１２の前側の左右にそれぞれ設けた一対の前側アーム部材１３と、吊り具本体１２の後側の左右にそれぞれ設けた一対の後側アーム部材１４と、一対の前後のアーム部材１３、１４の下端に設けた一対の前後の爪部２２、２３とよりなり、一対の前側爪部２２及び後側爪部２３はそれぞれ、吊り上げられる電気転てつ機の転てつ機本体の両側面にそれぞれ外方に突出して形成された一対の水平板状の前後のリブ部の底面の下にそれぞれ挿入されて、電気転てつ機の前側を両側から挟持して吊り上げ可能な係合片２２ａ、２３ａとよりなり、該前後のリブ部は、転てつ機本体の両側面にそれぞれ外方に突出して形成された動作かん庇の取付部の前側に隣接して形成されると共に、転てつ機本体の底面よりも、所望の高さ上に形成された。【選択図】図２
0003208213.tif 000002
【実用新案登録請求の範囲】
【請求項１】
吊り具本体と、
該吊り具本体の前側の左右にそれぞれ、下端が互いに離接する方向に移動できるよう、上端を傾動自在に枢支して垂下して設けた一対の前側アーム部材と、
上記吊り具本体の後側の左右にそれぞれ、下端が互いに離接する方向に移動できるよう、上端を傾動自在に枢支して垂下して設けた一対の後側アーム部材と、
上記一対の前側アーム部材と上記一対の後側アーム部材をそれぞれ、上記吊り具本体に固定する固定手段と、
上記一対の前側アーム部材の下端に設けた一対の前側爪部と、
上記一対の後側アーム部材の下端に設けた一対の後側爪部とよりなり、
上記一対の前側爪部はそれぞれ、吊り上げられる電気転てつ機の転てつ機本体の両側面にそれぞれ外方に突出して形成された一対の水平板状の前側リブ部の底面の下にそれぞれ挿入されて、上記電気転てつ機の前側を両側から係合して吊り上げ可能な係合片とよりなり、
該一対の前側リブ部は、上記転てつ機本体の両側面にそれぞれ外方に突出して形成された動作かん庇の取付部の前側に隣接して形成されると共に、上記転てつ機本体の底面よりも、所望の高さ上に形成され、
上記一対の後側爪部はそれぞれ、上記転てつ機本体の両側面にそれぞれ外方に突出して形成された一対の水平板状の後側リブ部の底面の下にそれぞれ挿入されて、上記電気転てつ機の後側を両側から係合して吊り上げ可能な係合片とよりなり、
該一対の後側リブ部は、上記動作かん庇の取付部の後側に隣接して形成されると共に、上記転てつ機本体の底面よりも、所望の高さ上に形成されたことを特徴とする電気転てつ機吊上げ補助具。
【請求項２】
上記一対の前側爪部はそれぞれ、上記動作かん庇の取付部の前面に接触、或いは近接して設けられた押え部を有すると共に、
上記一対の後側爪部はそれぞれ、上記動作かん庇の取付部の後面に接触、或いは近接して設けられた押え部材とを有することを特徴とする請求項１記載の電気転てつ機吊上げ補助具。
【請求項３】
上記吊り具本体には、吊上げ装置に接続される接続部が設けられ、
該接続部は、ロック変位検出器を取り付けた電気転てつ機を吊り上げるための第１の接続部と、ロック変位検出器が取り付けられていない電気転てつ機を吊り上げるための第２の接続部とよりなることを特徴とする請求項１または２に記載の電気転てつ機吊上げ補助具。
【考案の詳細な説明】
【技術分野】
【０００１】
本考案は、鉄道の電気転てつ機に係合して、クレーンや山越器等の吊上げ装置により吊り上げられる電気転てつ機吊上げ補助具に関するものである。
【背景技術】
【０００２】
従来、電気転てつ機（ＮＳ形）を吊り上げるためには、例えば、図５に示すように、電気転てつ機１の転てつ機本体２の前後に、それぞれ２本のベルトスリング３を通して、該ベルトスリング３を、クレーンなどの吊上げ装置により吊り上げ、又は、図６に示すように、電気転てつ機１の、動作かん庇４や、鎖錠かん庇５を取り付けるための雌ネジ部（図示せず）を利用して、該雌ネジ部にアイボルト６を螺合し、このアイボルト６にワイヤー７等を通すと共に、上記転てつ機本体２の後部にワイヤー８を通して、これらワイヤー７、８を吊上げ装置により吊り上げるようにしていた。
【０００３】
例えば、ベルトスリングを用いて荷物を吊り上げる吊り具に関しては、例えば、特許文献１がある。
【先行技術文献】
【特許文献】
【０００４】
【特許文献１】特開２００６−１６０４９０号公報図２
【考案の概要】
【考案が解決しようとする課題】
【０００５】
しかしながら、上記従来のベルトスリング３を用いて電気転てつ機１を吊り上げる場合、ベルトスリング３を玉掛けする位置や方法が統一されておらず、電気転てつ機１の吊り上げの安定性や、作業の安全性は、作業者の経験に依存していた。また、玉掛けする場所によっては、既存設備との干渉から、架け替えの手間が生ずることもあった。
【０００６】
また、アイボルト６を用いて電気転てつ機１を吊り上げる場合、上記雌ネジ部から、動作かん庇や鎖錠かん庇の取付用ボルトを取り外してから、アイボルト６を取り付ける必要があり、施工効率が悪かった。
【０００７】
考案者は、電気転てつ機（ＮＳ形）の形状について調べたところ、図７〜図８に示すように、例えば、後部に電動機２ｄが固定された、前後方向に延びる転てつ機本体２と、該転てつ機本体２の両側面２ａの中間部にそれぞれ連結固定された動作かん庇４、４と、該転てつ機本体２の両側面２ａの前部にそれぞれ連結固定された鎖錠かん庇５、５とよりなる電気転てつ機１において、該転てつ機本体２の両側面２ａに、該両側面２ａからそれぞれ外方に突出した上記動作かん庇４、４の取付部９、９が形成され、該取付部９、９の前側に隣接して、上記両側面２ａに、それぞれ外方に突出した一対の水平板状の前側リブ部１０が形成されていると共に、上記取付部９、９の後側に隣接して、上記両側面２ａに、それぞれ外方に突出した一対の水平板状の後側リブ部１１が形成され、また、該リブ部１０、１１の底面１０ａ、１１ａは、上記動作かん庇４の取付部９の底面９ｃと共に、上記転てつ機本体２の底面２ｃよりも、所望の高さ上方に形成されていることを見出し、かかる前後のリブ部１０、１１を利用して、電気転てつ機１を吊り上げることを見出したものである。
【課題を解決するための手段】
【０００８】
本考案の電気転てつ機吊上げ補助具は、吊り具本体と、該吊り具本体の前側の左右にそれぞれ、下端が互いに離接する方向に移動できるよう、上端を傾動自在に枢支して垂下して設けた一対の前側アーム部材と、上記吊り具本体の後側の左右にそれぞれ、下端が互いに離接する方向に移動できるよう、上端を傾動自在に枢支して垂下して設けた一対の後側アーム部材と、上記一対の前側アーム部材と上記一対の後側アーム部材をそれぞれ、上記吊り具本体に固定する固定手段と、上記一対の前側アーム部材の下端に設けた一対の前側爪部と、上記一対の後側アーム部材の下端に設けた一対の後側爪部とよりなり、上記一対の前側爪部はそれぞれ、吊り上げられる電気転てつ機の転てつ機本体の両側面にそれぞれ外方に突出して形成された一対の水平板状の前側リブ部の底面の下にそれぞれ挿入されて、上記電気転てつ機の前側を両側から係合して吊り上げ可能な係合片とよりなり、該一対の前側リブ部は、上記転てつ機本体の両側面にそれぞれ外方に突出して形成された動作かん庇の取付部の前側に隣接して形成されると共に、上記転てつ機本体の底面よりも、所望の高さ上に形成され、上記一対の後側爪部はそれぞれ、上記転てつ機本体の両側面にそれぞれ外方に突出して形成された一対の水平板状の後側リブ部の底面の下にそれぞれ挿入されて、上記電気転てつ機の後側を両側から係合して吊り上げ可能な係合片とよりなり、該一対の後側リブ部は、上記動作かん庇の取付部の後側に隣接して形成されると共に、上記転てつ機本体の底面よりも、所望の高さ上に形成されたことを特徴とする。
【０００９】
また、上記一対の前側爪部はそれぞれ、上記動作かん庇の取付部の前面に接触、或いは近接して設けられた押え部を有すると共に、上記一対の後側爪部はそれぞれ、上記動作かん庇の取付部の後面に接触、或いは近接して設けらえた押え部材とを有することを特徴とする。
【００１０】
また、記吊り具本体には、吊上げ装置に接続される接続部が設けられ、該接続部は、ロック変位検出器を取り付けた電気転てつ機を吊り上げるための第１の接続部と、ロック変位検出器が取り付けられていない電気転てつ機を吊り上げるための第２の接続部とよりなることを特徴とする。
【考案の効果】
【００１１】
電気転てつ機に対して、該電気転てつ機の動作かん庇の取付部の位置、大きさは、どの電気転てつ機においても殆ど同じであり、また、該取付部の前後に形成されるリブ部の位置、形状も殆ど同じであることから、該取付部とリブ部とを利用したもので、本考案の電気転てつ機吊上げ補助具によれば、上記４つの爪部は、それぞれ上記電気転てつ機のリブ部に係合し、かつ、それ以外の場所に上記４つの爪部を係合させることができないので、作業者の経験によらず、簡単に、電気転てつ機を上記電気転てつ機吊上げ補助具に係合でき、該電気転てつ機吊上げ補助具を、クレーン等の吊上げ装置により吊り上げることができるようになる。
【００１２】
また、ロック変位検出器を取り付けた電気転てつ機も、ロック変位検出器を取り付けていない電気転てつ機も吊り上げることができる。
【図面の簡単な説明】
【００１３】
【図１】本考案の電気転てつ機吊上げ補助具の正面図である。
【図２】本考案の電気転てつ機吊上げ補助具の平面図である。
【図３】本考案の電気転てつ機吊上げ補助具の左側面図である。
【図４】本考案の電気転てつ機吊上げ補助具を電気転てつ機に係合した状態を示す側面図である。
【図５】従来の電気転てつ機の吊り上げ方法を示す斜視図である。
【図６】従来の電気転てつ機の他方の吊り上げ方法を示す斜視図である。
【図７】電気転てつ機の側面図である。
【図８】電気転てつ機の平面図である。
【考案を実施するための形態】
【００１４】
以下図面によって本考案の実施例を説明する。
【実施例１】
【００１５】
本考案の電気転てつ機吊上げ補助具は、図１〜図３に示すように、クレーンや山越器などの吊上げ装置（図示せず）により吊り上げられる吊り具本体１２と、該吊り具本体１２の前側の左右両側にそれぞれ垂下して設けた、一対の前側アーム部材１３、１３と、後側の左右両側にそれぞれ垂下して設けた、一対の後側アーム部材１４、１４とよりなり、上記一対の前側のアーム部材１３、１３の上端は、それぞれ上記吊り具本体１２に、該上記一対の前側のアーム部材１３、１３の下端が互いに離接する方向に移動できるように、傾動自在に枢支され、また、上記一対の後側のアーム部材１４、１４の上端は、それぞれ上記吊り具本体１２に、該上記一対の後側のアーム部材１４、１４の下端が互いに離接する方向に移動できるように、傾動自在に枢支されている。
【００１６】
また、上記吊り具本体１２は、例えば、前後方向に延びる長尺状の本体部１２ａと、該本体部１２ａの前側に、その中間部を固定した、該本体部１２ａに対して左右方向に直角に設けた前側支持棒１２ｂと、該本体部１２ａの後側に、その中間部を固定した、該本体部１２ａに対して左右方向に直角に設けた後側支持棒１２ｃとよりなる。
【００１７】
また、上記本体部１２ａの略中央の上端面には、クレーン等の吊上げ装置のフックなどに接続される接続部が設けられ、該接続部は、例えば、上記本体部１２ａの上端面に形成し第１の雌ネジ部２４ａと、第２の雌ネジ部２４ｂと、これらいずれかの雌ネジ部に螺合される雄ネジ部を有する吊り輪２４とよりなり、上記第１の雌ネジ部２４ａは、ロック変位検出器を取り付けた電気転てつ機を吊り上げた時に、該電気転てつ機のバランスが取れる位置に形成され、上記第２の雌ネジ部２４ｂは、ロック変位検出器が取り付けられていない電気転てつ機を吊り上げた時に、該電気転てつ機のバランスが取れる位置に形成されている。
【００１８】
なお、上記雌ネジ部は、第２の雌ネジ部２４ｂのみで構成してもよく、また、第１、第２の雌ネジ部以外の雌ネジ部を設けてもよい。
【００１９】
また、上記前側支持棒１２ｂの左右端には、それぞれ下方に延びる板状の突出部１５が連結固定され、該突出部１５の上部に形成された枢支部１５ａに、上記一対の前側アーム部材１３、１３の上端がそれぞれ、傾動自在に枢支され、また、上記後側支持棒１２ｃの左右端には、それぞれ下方に延びる板状の突出部１６が連結固定され、該突出部１６の上部に形成された枢支部１６ａにおいて、上記一対の後側アーム部材１４、１４の上端がそれぞれ、傾動自在に枢支されている。
【００２０】
また、上記一対の前後のアーム部材１３、１４をそれぞれ、上記吊り具本体１２に固定する固定手段を有し、該固定手段は、例えば、上記各突出部１５、１６と、対応する上記アーム部材１４とにそれぞれ設けた、上記アーム部材１３、１４が垂直方向下側に垂下した時に一致する孔１７、１８と、該一致した孔１７、１８に挿入される固定ピン１９とよりなり、該孔１７、１８に上記固定ピン１９を挿入することにより、上記アーム部材１３、１４が、それぞれ上記吊り具本体１２に、垂下した状態で固定されるようになる。
【００２１】
また、上記前後の支持棒１２ｂ、１２ｃの、上記各突出部１５，１６よりも所望の距離内側に、孔２０を有する下方の延びるプレート２１が連結固定され、該孔２０は、図１に示すように、上記アーム部材１３、１４を、それぞれ内側上方に傾動した時に、上記アーム部材１３、１４の孔１８と一致する位置に形成され、該一致した孔１８、２０に固定ピン１９を挿入することにより、上記アーム部材１３、１４が、それぞれ上記吊り具１２に対して、上方に傾動した状態で固定されるようになる。
【００２２】
また、上記一対の前側アーム部材１３、１３の各下端にはそれぞれ、上記転てつ機本体２の前側を両側から支持又は挟持など係合して吊り上げ可能な前側爪具２２が設けられる。
【００２３】
該前側爪部２２は、例えば、上記アーム部材１３の下端の内側面に、内側方向直角に設けた水平板状の係合片２２ａと、内側方向直角に設けた、下部に切欠き部２５を有する、垂直板状の押え部材２２ｂとよりなり、一対の上記係合片２２ａは、上記電気転てつ機１の前側リブ部１０の底面の下にそれぞれ挿入され、該リブ部１０を下から支持して、上記電気転てつ機１の前側を両側から支持又は挟持など係合して吊り上げるように形成され、また、上記押え部材２２ｂは、上記切欠き部２５に上記リブ部１０が挿入されると共に、該押え部材２２ｂの板面が、上記動作かん庇４の取付部９の前面９ａに接触、或いは近接して設けられ、上記電気転てつ機１を吊り上げた時に該電気転てつ機１が前方向に移動することを規制するように形成されている。
【００２４】
また、上記一対の後側アーム部材１４、１４の各下端にはそれぞれ、上記転てつ機本体２の後側を両側から支持又は挟持など係合して吊り上げ可能な前側爪具２３が設けられる。
【００２５】
該後側爪部２３は、例えば、上記アーム部材１４、１４の下端の内側面に、内側方向直角に設けた水平板状の係合片２３ａと、内側方向直角に設けた、下部に切欠き部２６を有する垂直板状の押え部材２３ｂとよりなり、一対の上記係合片２３ａは、上記電気転てつ機１の後側リブ１１の底面の下にそれぞれ挿入され、該リブ１１を下から支持して、上記電気転てつ機１の後側を両側から支持又は挟持など係合して吊り上げるように形成され、また、上記押え部材２３ｂは、上記切欠き部２６に上記リブ部１１が先端部から挿入されると共に、該押え部材２３ｂの板面が、上記動作かん庇４の取付部９の後面９ｂに接触、或いは近接して設けられ、上記電気転てつ機１を吊下げた時に該転てつ機１が後方向に移動することを規制するように形成されている。
【００２６】
また、上記前側爪部２２の押え部材２２ｂと、上記後側爪部２３の押え部材２３ｂとにより、上記電気転てつ機１の取付部９が挟み込まれて、上記電気転てつ機１に対して、上記電気転てつ機吊上げ補助具が前後方向において略位置決めされるようになる。
【００２７】
なお、２７は、リブ部１１が挿入される切欠き部２８を有する補助板である。
【００２８】
また、上記切欠き部２５、２６は、例えば、コ字状に形成され、該コ字状の上下方向の間隔は、それぞれ、例えば、上記リブ部１０、１１の厚さと略同じ長さで形成される。
【００２９】
本考案の電気転てつ機吊上げ補助具は、上記のような構成であるから、まず、例えば、ロック変位検出器（図示せず）が取り付けられた電気転てつ機１を吊り上げる場合には、吊り輪２４を第１の雌ネジ部に螺合して固定し、該吊り輪２４に、クレーン等のフック等を固定するようにする。
【００３０】
そして、上記クレーンを操作して、上記電気転てつ機吊上げ補助具を、電気転てつ機１の上方に位置させ、上記アーム部材１３、１４から固定ピン１９を外して、上記吊り具本体１２に対して、上記アーム部材１３、１４を傾動自在とする。
【００３１】
そして、上記アーム部材１３、１４を、垂下された状態から、それぞれ下端が互いに離間する方向に開き、上記クレーンを操作して、上記電気転てつ機吊上げ補助具を、所望の位置まで、下降させる。
【００３２】
そして、上記アーム部材１３、１４の下端をそれぞれ接近させて、該アーム部材１３、１４をそれぞれ垂下させると共に、上記アーム部材１３、１４の爪部２２、２３の切欠き部２５、２６内に、それぞれ上記電気転てつ機１のリブ部１０、１１を先端部から挿入して、上記爪部２２、２３の係合片２２ａ、２３ａを、上記リブ部１０、１１の底面の下に位置させる。
【００３３】
そして、上記アーム部材１３、１４の孔１８と上記突出部１５、１６の孔１７に固定ピン１９を挿入させて、上記アーム部材１３、１４をそれぞれ上記吊り具本体１２に対して固定するようにする。
【００３４】
そして、上記吊り輪２４をクレーン等で吊り上げれば、上記爪部２２、２３の支持部材２２ａ、２３ａが、上記電気転てつ機のリブ部１０、１１の下面に当接して、上記電気転てつ機１を上昇させることができるようになる。
【００３５】
また、上記吊り上げた電気転てつ機の取付部９の前面９ａと後面９ｂが、それぞれ上記爪具の押え部材２２ｂ、２３ｂに当接して、上記電気転てつ機の吊り上げ中に、該電気転てつ機１が前後に移動することがなくなるようになる。
【００３６】
そして、所望の位置に、上記電気転てつ機を設置した後は、上記電気転てつ機から、上記電気転てつ機吊上げ補助具を取り外す、
【００３７】
そして、必要に応じて、前後一対のアーム部材１３、１４をそれぞれ内側に傾動して、孔１８、２０に固定ピン１９を挿入して、折り畳んで固定するようにする。
【００３８】
以上により、作業者の経験によらず、簡単に、電気転てつ機を吊り上げることができるようになる。
【００３９】
また、従来のように、吊下げのためにボルトを取り外すような事はない。
【００４０】
また、従来においては、ベルトスリングや、ワイヤー等を介してクレーン等のフックにより電気転てつ機を吊り上げていたが、該フックから電気転てつ機までの距離が長くなり、上記吊り上げた電気転てつ機を、例えば、台車に載せるためには、クレーン等の高さを高くする必要があり、また、縦方向の揺れが大きかった。それに対して、本願考案においては、フック等により直接、電気転てつ機吊上げ補助具を吊り下げることができるので、クレーン等の高さを高くする必要がなく、また、縦方向の揺れが生じても、安定した状態を維持することができる。
【００４１】
なお、ロック変位検出器が取り付けられていない電気転てつ機１を吊り上げる場合には、吊り輪２４を第２の雌ネジ部２４ｂに螺合して固定し、該吊り輪２４に、クレーン等のフック等を固定するようにする。
【００４２】
これにより、ロック変位検出器を取り付けた電気転てつ機も、ロック変位検出器を取り付けていない電気転てつ機も吊り上げることができる。
【符号の説明】
【００４３】
１      電気転てつ機
２      転てつ機本体
２ａ    側面
２ｂ    空間
２ｃ    底面
２ｄ    電動機
３      ベルトスリング
４      動作かん庇
５      鎖錠かん庇
６      アイボルト
７      ワイヤー
８      ワイヤー
９      取付部
９ａ    前面
９ｂ    後面
９ｃ    底面
１０    前側リブ部
１０ａ  底面
１１    後側リブ部
１１ａ  底面
１２      吊り具本体
１２ａ    本体部
１２ｂ    前側支持棒
１２ｃ    後側支持棒
１３    前側アーム部材
１４    後側アーム部材
１５    突出部
１５ａ  枢支部
１６    突出部
１６ａ  枢支部
１７    孔
１８    孔
１９    固定ピン
２０    孔
２１    プレート
２２    前側爪部
２２ａ  係合片
２２ｂ  押え部材
２３    爪部
２３ａ  係合片
２３ｂ  押え部材
２４    吊り輪
２４ａ  雌ネジ部
２４ｂ  雌ネジ部
２５    切欠き部
２６    切欠き部
２７    補助板
２８    切欠き部
【図１】
0003208213.tif 000003
【図２】
0003208213.tif 000004
【図３】
0003208213.tif 000005
【図４】
0003208213.tif 000006
【図５】
0003208213.tif 000007
【図６】
0003208213.tif 000008
【図７】
0003208213.tif 000009
【図８】
0003208213.tif 000010